(57)【要約】【課題】節電を適切かつ効率的に行える、液晶モニタ等を備えた撮像装置を提供する。【解決手段】撮像装置１は、操作キー１１の操作によってビデオカメラ１の電源がＯＮになると、液晶モニタ１５及びビューファインダ１６に電源が入ってこれらがＯＮになり、リモコン２からのデータを受信した場合には、液晶モニタ１５及びビューファインダ１６への電源供給を中止し、これらをＯＦＦにする。【選択図】      図２
2004194010.tif 000002
【特許請求の範囲】
【請求項１】
撮影しようとする画像及び撮影した画像の再生画像を表示する表示手段を有する撮像装置において、
前記撮像装置をリモコンにより操作したときは、前記表示手段への電源供給を中止する制御手段を備えたことを特徴とする撮像装置。
【発明の詳細な説明】
【０００１】
【発明の属する技術分野】
本発明は、撮影しようとする画像及び撮影した画像の再生画像を表示する表示手段を有する撮像装置に関する。
【０００２】
【従来の技術】
従来のビデオカメラには、節電を目的としてモニタを使用しないときにモニタの電源を切るものが有った。その中でモニタの電源を切る方法として、遮光フードの開閉状態を検出して遮光フードが閉めているときには液晶モニタの電源をオフにするものがあった（例えば、特許文献１参照）。
【０００３】
【特許文献１】
特開平０８−０４６８３５号公報
【０００４】
【発明が解決しようとする課題】
しかしながら、上記従来例においては、遮光フードを閉めて液晶モニタを閉じなければ液晶モニタの電源がオフにならないため、遮光フードで液晶モニタを閉じるのを忘れたときは、モニタを使用する必要がないときであっても電源はオンのままなので電力が消費されてしまうという問題点があった。
【０００５】
本発明の目的は、従来例とは異なる視点に基づいて、節電を適切かつ効率的に行える、液晶モニタ等を備えた撮像装置を提供することにある。
【０００６】
【課題を解決するための手段】
上記目的を達成するために、請求項１記載の撮像装置は、撮影しようとする画像及び撮影した画像の再生画像を表示する表示手段を有する撮像装置において、前記撮像装置をリモコンにより操作したときは、前記表示手段への電源供給を中止する制御手段を備えたことを特徴とする。
【０００７】
【発明の実施の形態】
以下、図面を参照しながら本発明の実施の形態について説明する。
【０００８】
〔第１の実施の形態〕
図１は、本発明の第１の実施の形態に係る撮像装置の構成とそのリモートコントロール装置の構成とを示すブロック図である。
【０００９】
図１の撮像装置は、一例としてのビデオカメラである。ビデオカメラ１は、マイクロコンピュータ１０（以下、マイコン１０）によって制御されている。このマイコン１０（制御手段）には、ユーザが種々の設定操作等をするための操作キー１１、この操作キー１１の操作に基づくマイコン３０からの命令を受けて制御信号を生成する制御信号生成回路１２、後述する受信回路４１が接続されている。
【００１０】
操作キー１１によって電源が投入されると、電源回路１３から、図示した各回路へ電源が供給される。制御信号生成回路１２からの信号により、スイッチ１４が導通され、液晶モニタ１５及びビューファィンダ１６の電源もオンとなる。液晶モニタ１５（表示手段）は撮影しようとする画像及び撮影した画像の再生画像を表示するものであり、ビューファィンダ１６（表示手段）は撮影しようとする画像を見るためのファインダである。液晶モニタ１５は低域通過回路１７（ＬＰＦ１７）とデジタル‐アナログ変換器１８（以下、Ｄ／Ａ変換器１８）とを介してТＶ信号処理回路２１に接続されており、ビューファィンダ１６は低域通過回路１９（ＬＰＦ１９）とデジタル‐アナログ変換器２０（以下、Ｄ／Ａ変換器２０）とを介してТＶ信号処理回路２１に接続されている。
【００１１】
ビデオカメラ１は光学レンズ３０が配設されており、この光学レンズ３０に入射する入射光の進行方向に向かって光学レンズ３０よりも後方には撮像素子３１が配設されている。この撮像素子３１は例えばＣＣＤから成り、光学レンズ３０を通過した光を受光して光電変換し撮像信号を出力する。
【００１２】
受光素子３１にはＣＤＳ（Correlated  Double  Sampling）・ＧＣＡ（Gain  Control  Amplifier）回路３２が接続されており、ＣＤＳ・ＧＣＡ回路３２にはアナログ‐デジタル変換器３３（以下、Ａ／Ｄ変換器３３）が接続されている。撮像素子３１からの撮像信号はＣＤＳ・ＧＣＡ回路３２によってノイズ除去と利得調整とを施した後にＡ／Ｄ変換器３３によってデジタル信号に変換する。
【００１３】
Ａ／Ｄ変換器３３はカメラ信号処理回路３４に接続されている。Ａ／Ｄ変換器３３でデジタル信号に変換した撮像信号をカメラ信号処理回路３４がＹＣ（輝度／色）分離、輪郭強調、ホワイトバランス、ガンマ補正等の処理を施し、デイジタル輝度信号と、色差信号（Ｒ‐Ｙ，Ｂ‐Ｙ）が１画素おきに点順次に並ぶディジタル色差信号を生成する。カメラ信号処理回路３４はТＶ信号処理回路２１に接続されていると共に、後述するＹＣ多重回路３５にも接続されている。
【００１４】
ТＶ信号処理回路２１は、ディジタル輝度信号とディジタル色差信号とにТＶモニタに表示するために必要な処理、例えばブランキング信号の付加、色変調等の処理を行う。これらの処理を施されたディジタル輝度信号、ディジタル色差信号は、Ｄ／Ａ変換器１８，２０によってそれぞれアナログ信号に変換され、低域通過回路１７，１９を経てリアルタイム画像として液晶モニタ１５及びビューファインダ２１に表示される。
【００１５】
カメラ信号処理回路３４が生成したディジタル輝度信号とディジタル色差信号とは上記のＹＣ多重回路３５にも送られて多重化される。ＤＶフォーマットの場合、４：２：２のＹＣRＣBデータを生成する。ＹＣ多重回路３５はレコーダ信号処理回路３６に接続されており、レコーダ信号処理回路３６は、ＹＣ多重回路３５がディジタル輝度信号とディジタル色差信号とを多重化した信号に符号化、誤り訂正符号の付加等の処理を施す。これらの信号は磁気ヘッド３７によって磁気テープ３８に記録される。
【００１６】
ユーザが操作キー１１又は後述するリモートコントロール装置２（以下、リモコン２）により再生の入力をするとマイコン１０からの命令を受けた制御信号生成回路１２が制御信号を生成し、該制御信号に基づいて上記の磁気テープ３８に記録された信号がヘッド３７によって読み出されて、レコーダ信号処理回路３６に送られる。レコーダ信号処理回路３６では、誤り訂正、復号化等を行なう。レコーダ信号処理回路３６にはＹＣ分離回路３９が接続されており、ＹＣ分離回路３９で記録時に多重化したディジタル輝度信号、ディジタル色信号を同時化する。これらの信号がТＶ信号処理回路２１を経て、液晶モニタ１５、ビューファインダ１６に表示されるまでの過程は、撮像素子３１の信号を表示するときの過程と同様である。
【００１７】
上記した受光回路４１はリモコン２からの光を受光するための受光素子４０に接続されている。リモコン２は操作キー５０、当該操作キー５０の操作に基づいて制御コードを発生させる制御コード発生器５１、及び制御コードに対応した赤外光を発光させる、ＬＥＤから成る発光素子５２から構成されている。受光素子４０は発光素子５２からの光を受光すると、受光した光に基づいて受光信号を受光回路４１に送り、受光回路４１は受光信号をマイコン１０で読み込むのに適したデータに変換する。
【００１８】
次に、ビデオカメラ１とリモコン２との操作にともなう液晶モニタ１５及びビューファインダ１６の電源のＯＮ／ＯＦＦ処理について説明する。
【００１９】
図２は、図１のビデオカメラ１とリモコン２との操作にともなう液晶モニタ１５及びビューファインダ１６の電源のＯＮ／ＯＦＦ処理を示すフローチャートである。
【００２０】
先ず、操作キー１１の操作によってビデオカメラ１の電源がＯＮになると、液晶モニタ１５及びビューファインダ１６に電源が入ってＯＮになる（ステップＳ１）。マイコン１０はリモコン２からのデータを受信したか否かを判別し（ステップＳ２）、リモコン２からのデータを受信していない場合には、ビデオカメラ１の操作キー１１から入力があったか否かを判別する（ステップＳ３）。操作キー１１からの入力があった場合には、操作キー１１から入力指示された動作を実行し（ステップＳ４）、ステップ２に戻る。ステップＳ３の判別の結果、操作キー１１からの入力がない場合には、そのままステップ２に戻る。
【００２１】
ステップＳ２の判別の結果、リモコン２からのデータを受信した場合には、マイコン１０からの命令を受けた制御信号生成回路１２の信号により、スイッチ１４が遮断され、液晶モニタ１５及びビューファインダ１６への電源供給を中止し、ＯＦＦにする（ステップＳ５）。なお、例えば、録画中に液晶モニタ１５、ビューファィンダ１６を使用しない間は、ТＶ信号処理回路２１、Ｄ／Ａ変換器１８，２０、低域通過回路１７，１９の動作を止めても差し支えないので、これらへの電源供給を中止してもよい。
【００２２】
以上の動作により、リモコン２でビデオカメラ１を操作するときの消費電力を抑えることができる。ビデオカメラ１をリモコン２で操作するときは、通常、操作者はビデオカメラ１から離れているので、液晶モニタ１５、ビューファィンダ１６を覗き込むことはなく、よしんば、これらの動作を止めたとしても支障はない。
【００２３】
ステップＳ６でリモコンにより入力指示のあった動作を実行した後、ビデオカメラ１の操作キー１１から入力指示が有った否かを判別する（ステップＳ７）。操作キー１１から入力指示が有った場合には、マイコン１０からの命令を受けた制御信号生成回路１２の信号により、スイッチ１４を導通させて、液晶モニタ１５及びビューファィンダ１６に電源供給を行ってＯＮにする（ステップＳ８）。なお、ТＶ信号処理回路２１、ＤＡ変換器１８，２０、低域通過回路１７，１９への電源供給を中止している場合には、これらへの電源供給を行ってこれらを動作させて、液晶モニタ１５、ビューファインダ１６に画像が写るようにする。この後、ステップＳ４に移行する。
【００２４】
ステップＳ７の判別の結果、操作キー１１から入力指示がない場合には、液晶モニタ１５及びビューファィンダ１６はオフのままにしておき、ステップＳ６に戻って、リモコン２で指示した動作を継続する必要があればその動作を続ける。
【００２５】
このようにリモコン２を使用して、液晶モニタ１５、ビューファインダ１６をオフにしている状態のとき、ビデオカメラ１の操作キー１１で操作したときに、液晶モニタ１５、ビューファィンダ１６を再びオンにすることにより、これらを使用する必要が生じた場合に、自動的に画像の表示を開始することができる。
【００２６】
なお、リモコン、ビデオカメラでの操作が「録画」、「再生」のコマンドである場合は勿論のこと、「ズームイン」、「ズームアウト」、「一時停止」等のどのようなコマンドの場合でも図２のフローチャートに示した処理は適用できる。
【００２７】
また、本実施の形態では、ビデオカメラに、液晶モニタ、ビューファィンダの双方を搭載している例をあげたが、これらのうちの一方のみを搭載するビデオカメラでも、同様の動作を適用できる。
【００２８】
本実施の形態では、記録素子としてテープを例にあげているが、テープの代わりに、デイスク、メモリ等でも差し支えない。
【００２９】
〔第２の実施の形態〕
本発明の第２の実施の形態に係る撮像装置について説明する。
【００３０】
図３は、本発明の第２の実施の形態に係る撮像装置の構成とそのリモートコントロール装置の構成とを示すブロック図である。
【００３１】
本実施の形態に係る撮像装置としてのビデオカメラが第１の実施の形態に係るビデオカメラの構成と異なる点は、光センサ５０，５１及びセンサ回路５２を備える点である。他の構成要素には第１の実施の形態に係るビデオカメラの構成要素の符号と同一の符号を付してある。第１の実施の形態に係るビデオカメラ１では、リモコン２で操作をして、液晶モニタ１５、ビューファインダ１６がＯＦＦになった後で、ビデオカメラ１で操作をすると、液晶モニタ１５、ビューファインダ１６が再びＯＮになるのに対し、本実施の形態に係るビデオカメラ１では、ビデオカメラ１で操作をする以外に、液晶モニタ１５、ビューファインダ１６を覗くためにユーザが顔を近づけた場合にも、再び液晶モニタ１５、ビューファインダ１６がＯＮになる。
【００３２】
図３に示すように、ビデオカメラ１は光センサ６０，６１、センサ回路６２を具備している。光センサ６０，６１は、ユーザが液晶モニタ１５又はビューファインダ１６を覗くためにそれらに顔を近づけたときに検知できるように配設されている。ユーザが液晶モニタ１５及びビューファインダ１６の何れかに顔を近づけて、光センサ６０，６１から所定の領域に顔が入ると、光センサ６０，６１は入射光の減少を感知して、その感知に基づく信号をセンサ回路６２に送る。センサ回路６２では、受けた信号をマイコン１０で処理するのに適した形式に変換し、マイコン１０に送る。マイコン１０は制御信号生成回路１２に命令を出し、この命令を受けた制御信号生成回路１２が制御信号を生成して、スイッチ１４が遮断している場合にはスイッチ１４を入れる。
【００３３】
次に、ビデオカメラ１とリモコン２との操作にともなう液晶モニタ１５及びビューファインダ１６の電源のＯＮ／ＯＦＦ処理について説明する。
【００３４】
図４は、図３のビデオカメラ１とリモコン２との操作にともなう液晶モニタ１５及びビューファインダ１６の電源のＯＮ／ＯＦＦ処理を示すフローチャートである。図２に示したフローチャートと異なる点は、図２に示したフローチャートのステップＳ２とステップＳ５との間にステップ９が入り、ステップＳ７の判別でＮＯの場合にステップＳ１０が入る点であるので、本実施の形態に係るビデオカメラ１に特徴的なこれら２つのステップを中心に説明する。
【００３５】
ビデオカメラ１の電源がＯＮになるとともに、液晶モニタ１５及びビューファインダ１６に電源が入ってＯＮになると（ステップＳ１）、マイコン１０はリモコン２からのデータを受信したか否かを判別し（ステップＳ２）、リモコン２からのデータを受信した場合には、本実施の形態に特有のステップＳ９で液晶モニタ１５、ビューファィンダ１６が使用されているか否かを判別し、使用されている場合には、これらの電源ＯＦＦは行なわず、ステップＳ４に進んでリモコン２によって指示された動作を行なう。
【００３６】
ステップＳ９の判別の結果、液晶モニタ１５、ビューファィンダ１６が使用されていない場合には、第１の実施の形態のに係るビデオカメラの場合と同様に、液晶モニタ１５及びビューファインダ１６等への電源供給を中止してそれらをＯＦＦにする（ステップＳ５）。この状態でリモコン２によって指示された動作を行ない（ステップＳ６）、ビデオカメラ１の操作キー１１から入力指示がない場合には（ステップＳ７でＹＥＳ）、本実施の形態に特有のステップＳ１０で液晶モニタ１５、ビューファインダ１６が使用されているか否かを判別し、液晶モニタ１５、ビューファインダ１６が使用されている場合には、ステップＳｌに移行して液晶モニタ１５、ビューファインダ１６の電源をＯＮにする。ステップＳ１０の判別の結果、液晶モニタ１５、ビューファインダ１６が使用されていない場合には、ステップＳ６に戻る。ここで、液晶モニタ１５、ビューファインダ１６が使用されているか否かの判別は、上述したように光センサ６０，６１から所定の領域にユーザの顔が入ったことを光センサ６０，６１が感知したか否かによって行われる。
【００３７】
上記の処理によれば、リモコンで操作することによってＯＦＦになっている液晶モニタやビューファインダは、ユーザが光センサからの所定の領域内に入ることによってＯＮになるので、ユーザは液晶モニタやビューファインダをオンにする操作を行う必要が無く、使い勝手がよい。
【００３８】
なお、本実施の形態では、液晶モニタ１５、ビューファインダ１６の使用を検出するために光センサ６０，６１を用いたが、これに限られることなく、例えば、視線検出センサによってユーザの視線検出を行って液晶モニタ１５、ビューファインダ１６の使用を判断してもよい。
【００３９】
上記の各実施の形態に係る撮像装置について、ビデオカメラを例に採って説明したが、撮像装置はデジタルカメラやその他の画像を撮影する装置であってもよい。
【００４０】
本発明は、上述した実施の形態の機能を実現するソフトウェアのプログラム（図２及び図５のフローチャート）をコンピュータ又はＣＰＵに供給し、そのコンピュータ又はＣＰＵが該供給されたプログラムを読出して実行することによって、達成することができる。
【００４１】
この場合、上記プログラムは、該プログラムを記録した記憶媒体から直接に供給されるか、又はインターネット、商用ネットワーク、若しくはローカルエリアネットワーク等に接続される不図示の他のコンピュータやデータベース等からダウンロードすることにより供給される。
【００４２】
上記プログラムの形態は、オブジェクトコード、インタプリタにより実行されるプログラムコード、ＯＳ（オペレーティングシステム）に供給されるスクリプトデータ等の形態から成ってもよい。
【００４３】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００４４】
この場合、格納媒体から読出されたプログラムコード自体が上述した各実施の形態の機能を実現すると共に、そのプログラムコードを記憶した記憶媒体は本発明を構成する。
【００４５】
本発明の実施態様の例を以下に列挙する。
【００４６】
〔実施態様１〕  撮影しようとする画像及び撮影した画像の再生画像を表示する表示手段を有する撮像装置において、前記撮像装置をリモコンにより操作したときは、前記表示手段への電源供給を中止する制御手段を備えたことを特徴とする撮像装置。
【００４７】
〔実施態様２〕  前記リモコンによる操作が前記表示手段を操作するものである場合は、前記表示手段への電源供給を継続することを特徴とする実施態様１記載の撮像装置。
【００４８】
本実施形態によれば、リモコンによる操作が表示手段を操作するものである場合は、ユーザが表示手段を使用する可能性が高いので、表示手段への電源供給を継続することによってさらに適切な節電ができる。
【００４９】
〔実施態様３〕  前記制御手段は、前記表示手段への電源供給が中止された状態において撮像装置で操作がされたときは、前表示手段への電源供給を行うことを特徴とする実施態様１又は２記載の撮像装置。
【００５０】
本実施形態によれば、撮像装置で操作がされたときは、ユーザが表示手段を使用する可能性が高いので、表示手段への電源供給を行うことによって表示装置への電源供給を行うための操作をユーザに煩わせることがなくなって、操作性が向上する。
【００５１】
〔実施態様４〕  所定の領域における物体の存在を検知する検知手段（６０，６１）を備え、前記表示手段への電源供給が中止された状態で、前記検知手段が前記所定の領域に物体を検知したときは、前記制御手段は、前表示手段への電源供給を行うことを特徴とする実施態様１乃至３のいずれか１に記載の撮像装置。
【００５２】
本実施形態によれば、表示手段への電源供給が中止された状態で、ユーザの顔が所定の領域において検知手段によって検知されたときは、ユーザが表示手段を使用する可能性が高いので、表示手段への電源供給を行うことによって表示装置への電源供給を行うための操作をユーザに煩わせることがなくなって、操作性が向上する。
【００５３】
〔実施態様５〕  前記表示手段はビューファインダを有することを特徴とする実施態様１乃至４のいずれか１に記載の撮像装置。
【００５４】
〔実施態様６〕  前記表示手段が液晶モニタであることを特徴とする実施態様１乃至４のいずれか１に記載の撮像装置。
【００５５】
〔実施態様７〕  撮影しようとする画像及び撮影した画像の再生画像を表示する表示手段を有する撮像装置の制御方法であって、前記撮像装置がリモコンにより操作されたときは、前記表示手段への電源供給を中止し、前記表示手段への電源供給が中止された状態において撮像装置で操作がされたときは、前記表示手段への電源供給を行う撮像装置の制御方法。
【００５６】
本実施形態によれば、リモコンによる撮像装置の操作があったときに表示手段への電源供給中止するが、リモコンで撮像装置を操作するときは、撮影しようとする画像及び撮影した画像の再生画像を表示手段に表示してもユーザは、通常、それらを利用しないので、表示手段によって消費される電力の節電を適切かつ効率的に行える。一方、表示手段への電源供給が中止された状態において撮像装置で操作がされたときは、ユーザが表示手段を使用する可能性が高いので、表示手段への電源供給を行うことによって表示装置への電源供給を行うための操作をユーザに煩わせることがなくなって、操作性が向上する。
【００５７】
〔実施態様８〕  実施態様７記載の制御方法をコンピュータに実行させることを特徴とする撮像装置の制御方法。
【００５８】
〔実施態様９〕  実施態様８記載の撮像装置の制御方法をコンピュータに実行させることを特徴とする撮像装置の制御プログラム。
【００５９】
【発明の効果】
以上詳細に説明したように、請求項１記載の撮像装置によれば、リモコンによる撮像装置の操作があったときに表示手段への電源供給中止するが、リモコンで撮像装置を操作するときは、撮影しようとする画像及び撮影した画像の再生画像を表示手段に表示してもユーザは、通常、それらを利用しないので、表示手段によって消費される電力の節電を適切かつ効率的に行える。
【図面の簡単な説明】
【図１】本発明の第１の実施の形態に係る撮像装置の構成とそのリモートコントロール装置の構成とを示すブロック図である。
【図２】図１のビデオカメラ１とリモコン２との操作にともなう液晶モニタ１５及びビューファインダ１６の電源のＯＮ／ＯＦＦ処理を示すフローチャートである。
【図３】本発明の第２の実施の形態に係る撮像装置の構成とそのリモートコントロール装置の構成とを示すブロック図である。
【図４】図３のビデオカメラ１とリモコン２との操作にともなう液晶モニタ１５及びビューファインダ１６の電源のＯＮ／ＯＦＦ処理を示すフローチャートである。
【符号の説明】
１  ビデオカメラ
２  リモコン
１０  マイコン
１３  電源回路
１５  液晶モニタ
１６  ビューファインダ
４０  受光素子
５２  発光素子
６０，６１  光センサ
６２  センサ回路
【図１】
2004194010.tif 000003
【図２】
2004194010.tif 000004
【図３】
2004194010.tif 000005
【図４】
2004194010.tif 000006